(57)【要約】【課題】  複数の無線通信機器に接続可能な情報表示装置に記憶されている情報が、接続されている無線通信機器とは無関係な表示態様で情報表示装置の表示部に表示されてしまう。【解決手段】  複数の無線通信機器２と無線通信可能な通信手段１１と、通信手段１１により、複数の無線通信機器２に対して択一的に前記無線通信による接続を確立するように通信手段を制御する通信制御手段１０と、複数の無線通信機器に対応付けられた所定情報を記憶する記憶手段と、記憶手段に記憶された所定情報を表示する表示手段１２とを有する情報表示装置１に、複数の無線通信機器２と通信手段１１との接続状態に基づいて、表示手段１２に表示する所定情報の表示態様を異ならせる表示制御手段１０を設け、接続される無線通信機器２に応じた表示態様で所定情報を表示するようにした。【選択図】  図１
2011205547.tif 000002
【特許請求の範囲】
【請求項１】
複数の無線通信機器と無線通信可能な通信手段と、
前記通信手段により、前記複数の無線通信機器に対して択一的に前記無線通信による接続を確立するように前記通信手段を制御する通信制御手段と、
前記複数の無線通信機器に対応付けられた所定情報を記憶する記憶手段と、
前記記憶手段に記憶された前記所定情報を表示する表示手段と、
前記複数の無線通信機器と前記通信手段との接続状態に基づいて、前記表示手段に表示する前記所定情報の表示態様を異ならせる表示制御手段とを有することを特徴とする情報表示装置。
【請求項２】
前記情報表示装置は、前記複数の無線通信機器のうち、接続が確立している前記無線通信機器を特定する機器特定手段をさらに有し、
前記表示制御手段は、前記記憶手段に記憶された前記所定情報を、前記機器特定手段が特定した前記無線通信機器に応じて異なる表示態様で表示するように、前記表示手段を制御することを特徴とする請求項１に記載の情報表示装置。
【請求項３】
前記情報表示装置は、さらに、操作手段を有し、
前記表示制御手段は、前記操作手段の操作に基づいて、前記所定情報を表示しない非表示状態から前記所定情報を表示する表示状態に切り替えるように前記表示手段を制御するとともに、前記非表示状態から前記表示状態に切り替えたときに、前記機器特定手段が特定した前記無線通信機器に対応付けられた前記所定情報のみを表示するように、前記表示手段を制御することを特徴とする請求項２に記載の情報表示装置。
【請求項４】
前記表示制御手段は、前記操作手段の操作に基づいて、前記機器特定手段が特定した前記無線通信機器に対応付けられた前記所定情報を、前記機器特定手段が特定していない前記無線通信機器に対応付けられた前記所定情報に切り替えて表示するように、前記表示手段を制御することを特徴とする請求項３に記載の情報表示装置。
【請求項５】
前記表示制御手段は、前記機器特定手段が特定した前記無線通信機器に対応付けられた前記所定情報を、前記表示手段における前記所定情報を表示する表示領域の最初の表示位置から表示するように、前記表示手段を制御することを特徴とする請求項２に記載の情報表示装置。
【請求項６】
前記表示制御手段は、前記機器特定手段が特定した前記無線通信機器に対応付けられた前記所定情報と、前記機器特定手段が特定していない前記無線通信機器に対応付けられた前記所定情報との表示形式を異ならせて表示するように、前記表示手段を制御することを特徴とする請求項２に記載の情報表示装置。
【請求項７】
前記所定情報は、前記複数の無線通信機器から前記通信手段が受信した第１情報、又は、前記第１情報に基づいて作成される情報であり、
各所定情報は、前記複数の無線通信機器から前記第１情報を受信したとき、又は、前記第１作成情報に基づいて作成される情報を作成したときに、送信した前記無線通信機器に対応付けられて前記記憶手段に記憶されることを特徴とする請求項１〜６のいずれか１項に記載の情報表示装置。
【請求項８】
前記無線通信機器が携帯電話であり、前記第１情報が、前記携帯電話への電話の着信に関する情報又は前記携帯電話へのメールの着信に関する情報であることを特徴とする請求項７に記載の情報表示装置。
【請求項９】
前記所定情報は、予め定められた複数のグループのそれぞれを表す情報であり、
前記各グループに属するとともに、前記表示制御手段によって前記表示手段に表示される情報が、前記記憶手段に記憶されることを特徴とする請求項１〜６のいずれか１項に記載の情報表示装置。
【請求項１０】
前記記憶手段は、さらに、前記所定情報の他に、前記複数の無線通信機器と前記通信手段との接続状態にかかわらず、予め定められた表示態様で前記表示制御手段によって前記表示手段に表示される非依存情報を記憶することを特徴とする請求項１〜９のいずれか１項に記載の情報表示装置。
【請求項１１】
前記記憶手段は、さらに、前記所定情報の他に、前記複数の無線通信機器と前記通信手段との接続状態にかかわらず、予め定められた表示態様で前記表示制御手段によって前記表示手段に表示される非依存情報を記憶し、
前記非依存情報は、前記複数の無線通信機器から前記通信手段が受信するとともに前記第１情報は異なる第２情報、又は、前記第２情報に基づいて作成される情報であることを特徴とする請求項７又は８に記載の情報表示装置。
【請求項１２】
前記無線通信機器が携帯電話であり、
前記第２情報は、前記携帯電話の基地局が、複数の携帯電話によって受信されるように送信した情報に関する情報であることを特徴とする請求項１１に記載の情報表示装置。
【発明の詳細な説明】
【技術分野】
【０００１】
本発明は、携帯電話等の無線通信機器と通信する情報表示装置に関するものである。
【背景技術】
【０００２】
携帯電話に電話着信があったときに、携帯電話が着信情報から、発信者番号に該当する氏名等の情報を得て、その情報を携帯電話と通信可能な腕時計に送信し、腕時計で氏名等の着信に関する情報を表示するシステムがある。（特許文献１）
【０００３】
このようなシステムでは、腕時計に、携帯電話から受信した、着信に関する情報を記憶させ、所定の操作で腕時計の表示部に表示させることも可能である。また、さらに、このようなシステムでは、複数の携帯電話を使用目的に応じて使い分けているユーザーなどが、複数の携帯電話から取得した着信に関する情報を、１つの腕時計に記憶することも可能である。
【先行技術文献】
【特許文献】
【０００４】
【特許文献１】特開２００２−３３５５６７号公報
【発明の概要】
【発明が解決しようとする課題】
【０００５】
しかし、このように使用目的に応じて複数の携帯電話を使い分けている場合には、腕時計では、使用目的に応じて使い分けられている情報が入り混じって表示されることになり、使いづらい、という問題点があった。
【０００６】
本発明の目的は、時計などの情報表示装置が記憶している情報を、無線通信機器の使用状態に応じて使いやすく表示することである。
【課題を解決するための手段】
【０００７】
上記目的を達成するため、本発明の情報表示装置は以下の特徴を有する。
【０００８】
複数の無線通信機器と無線通信可能な通信手段と、前記通信手段により、前記複数の無線通信機器に対して択一的に前記無線通信による接続を確立するように前記通信手段を制御する通信制御手段と、前記複数の無線通信機器に対応付けられた所定情報を記憶する記憶手段と、前記記憶手段に記憶された前記所定情報を表示する表示手段と、前記複数の無線通信機器と前記通信手段との接続状態に基づいて、前記表示手段に表示する前記所定情報の表示態様を異ならせる表示制御手段とを有することを特徴とする。
【０００９】
前記情報表示装置は、前記複数の無線通信機器のうち、接続が確立している前記無線通信機器を特定する機器特定手段をさらに有し、前記表示制御手段は、前記記憶手段に記憶された前記所定情報を、前記機器特定手段が特定した前記無線通信機器に応じて異なる表示態様で表示するように、前記表示手段を制御することを特徴とする。
【００１０】
前記情報表示装置は、さらに、操作手段を有し、前記表示制御手段は、前記操作手段の操作に基づいて、前記所定情報を表示しない非表示状態から前記所定情報を表示する表示状態に切り替えるように前記表示手段を制御するとともに、前記非表示状態から前記表示状態に切り替えたときに、前記機器特定手段が特定した前記無線通信機器に対応付けられた前記所定情報のみを表示するように、前記表示手段を制御することを特徴とする。
【００１１】
前記表示制御手段は、前記操作手段の操作に基づいて、前記機器特定手段が特定した前記無線通信機器に対応付けられた前記所定情報を、前記機器特定手段が特定していない前記無線通信機器に対応付けられた前記所定情報に切り替えて表示するように、前記表示手段を制御することを特徴とする。
【００１２】
前記表示制御手段は、前記機器特定手段が特定した前記無線通信機器に対応付けられた前記所定情報を、前記表示手段における前記所定情報を表示する表示領域の最初の表示位置から表示するように、前記表示手段を制御することを特徴とする。
【００１３】
前記表示制御手段は、前記機器特定手段が特定した前記無線通信機器に対応付けられた前記所定情報と、前記機器特定手段が特定していない前記無線通信機器に対応付けられた前記所定情報との表示形式を異ならせて表示するように、前記表示手段を制御することを特徴とする。
【００１４】
前記所定情報は、前記複数の無線通信機器から前記通信手段が受信した第１情報、又は、前記第１情報に基づいて作成される情報であり、
各所定情報は、前記複数の無線通信機器から前記第１情報を受信したとき、又は、前記第１作成情報に基づいて作成される情報を作成したときに、送信した前記無線通信機器に対応付けられて前記記憶手段に記憶されることを特徴とする。
【００１５】
前記無線通信機器が携帯電話であり、前記第１情報が、前記携帯電話への電話の着信に関する情報又は前記携帯電話へのメールの着信に関する情報であることを特徴とする。
【００１６】
前記所定情報は、予め定められた複数のグループのそれぞれを表す情報であり、
前記各グループに属するとともに、前記表示制御手段によって前記表示手段に表示される情報が、前記記憶手段に記憶されることを特徴とする。
【００１７】
前記記憶手段は、さらに、前記所定情報の他に、前記複数の無線通信機器と前記通信手段との接続状態にかかわらず、予め定められた表示態様で前記表示制御手段によって前記表示手段に表示される非依存情報を記憶することを特徴とする。
【００１８】
前記非依存情報は、前記複数の無線通信機器から前記通信手段が受信するとともに前記第１情報は異なる第２情報、又は、前記第２情報に基づいて作成される情報であることを特徴とする。
【００１９】
前記無線通信機器が携帯電話であり、前記第２情報は、前記携帯電話の基地局が、複数の携帯電話によって受信されるように送信した情報に関する情報であることを特徴とする。
【発明の効果】
【００２０】
本発明は、上記に示した構成を採用しているので、情報表示装置は、使用している無線通信機器に応じて適切な表示をすることができる、という効果を発揮するものである。
【図面の簡単な説明】
【００２１】
【図１】本発明の第１の実施の形態における、腕時計型端末と携帯電話のブロック図である。
【図２】本発明の第１の実施の形態における腕時計型端末が携帯電話と無線通信する動作の概要を示す図である。
【図３】本発明の第１の実施の形態における、腕時計型端末と携帯電話が近距離無線通信接続を行なうときの、携帯電話、携帯電話のユーザー、腕時計型端末、腕時計型端末のユーザーのやり取りを説明する図である。
【図４】本発明の第１の実施の形態における、携帯電話にて発生したイベント発生情報が腕時計型端末に送信される動作を説明する図である。
【図５】本発明の第１の実施の形態における、腕時計型端末の動作を示すフローチャートである。
【図６】本発明の第１の実施の形態における、腕時計型端末の履歴保存処理を示すフローチャートである。
【図７】本発明の第１の実施の形態における、イベント発生情報の履歴を示す図である。
【図８】本発明の第１の実施の形態における、履歴表示処理を示すフローチャートである。
【図９】本発明の第１の実施の形態における、メール着信履歴の表示例を示す図である。
【図１０】本発明の第１の実施の形態における、ニュース着信履歴の表示例を示す図である。
【図１１】本発明の第１の実施の形態における、履歴表示更新処理を示すフローチャートである。
【図１２】本発明の第１の実施の形態における、メールの着信履歴の表示の状態遷移を示す図である。
【図１３】本発明の第１の実施の形態でおける、メールの着信履歴の表示例である。
【図１４】本発明の第１の実施の形態でおける、ニュースの着信履歴の表示の状態遷移を示す図である。
【図１５】本発明の第２の実施の形態における、メール着信履歴の表示例を示す図である。
【図１６】本発明の第２の実施の形態における、メール着信履歴の他の表示例を示す図である。
【図１７】本発明の第２の実施の形態における、メール着信履歴の他の表示例を示す図である。
【図１８】本発明の第３の実施の形態おける、メール着信履歴の表示例を示す図である。
【図１９】本発明の第３の実施の形態おける、メール着信履歴の他の表示例を示す図である。
【図２０】本発明の第３の実施の形態おける、メール着信履歴の他の表示例を示す図である。
【図２１】本発明の第３の実施の形態おける、メール着信履歴の表示例を示す図である。
【発明を実施するための形態】
【００２２】
以下に添付図面を参照して、この発明にかかる情報表示装置の好適な実施の形態を詳細に説明する。
【００２３】
［第１の実施の形態］
図２は本発明の第１の実施の形態における情報表示装置としての腕時計型端末１が無線通信機器としての携帯電話２と無線通信する動作の概要を示す図である。
【００２４】
腕時計型端末１と携帯電話２との間は近距離無線通信規格による通信により無線接続されている。携帯電話２が無線基地局３から電話、メール、ニュースなどの着信を受けたり、携帯電話２の内部で設定されたアラームや計時されているタイマーのタイムアウトが発
生するなどのイベントが発生した際、携帯電話２から腕時計型端末１にそれらのイベントが発生したことやそれらのイベントに関係する内容が通知され、腕時計型端末１の表示画面にそれらのイベントに関連した情報が表示される。近距離無線通信規格としては例えばBluetooth（登録商標）がある。
【００２５】
次に、図２の腕時計型端末１と携帯電話２のブロック図をそれぞれ図１（ａ）、（ｂ）を用いて説明する。
図１（ａ）に示す腕時計型端末１において、１０はこの腕時計型端末１の全体の制御を行う制御部、１１はアンテナ１８を介して携帯電話２と通信するための近距離無線通信部、１２は時刻表示などを行う表示部、１３〜１５は腕時計型端末１の操作を行なうための操作部、１６は現在時刻を計時する時計回路、１７は振動を発生させるための振動部、１９は制御部の制御によりデータの読み出しや書き込みを行なう記憶部である。
【００２６】
制御部１０は、このデータの読み出しや書き込み以外に、何らかの情報を表示したり、その情報の表示態様を異ならせるように表示部１２を制御する表示制御や、複数の携帯電話２のいずれかと択一的に接続が確立するように近距離無線通信制部１１を制御する接続制御を行う。すなわち、制御部１０は、表示制御手段や、通信制御手段としての機能を有している。さらに、制御部１０は、複数の携帯電話２から、現在接続されている携帯電話２を特定する動作等も行い、機器特定手段としての機能も有している。
【００２７】
腕時計型端末１は、通常時は表示部１２に時計回路１６で計時されている現在時刻を表示している。また、近距離無線通信部１１を介して携帯電話２と通信し、携帯電話２から電話着信通知やメール着信通知、ニュース着信通知、アラーム発生通知、タイマータイムアウト通知等のイベントが発生したこと、及び、そのイベントに関係する情報（以下イベント発生情報と呼ぶ）を受信したときは、振動部１７を動作させてユーザーにイベントの発生を報知したり、そのイベントに関係する情報を前記表示部１２に表示する。また、イベント発生情報を受信したときは、そのイベント発生情報の送信元の携帯電話２の識別情報、受信日時等を登録した履歴表を記憶部１９に記憶する。この履歴保存処理ついては後述する。
【００２８】
携帯電話２において、２０はこの携帯電話２の全体の制御を行う制御部、２１は携帯電話の基地局３と、アンテナ２９を介して通信するための無線通信部、２２は送話マイクロフォン２３及び受話スピーカ２４に接続され音声信号処理を行う信号処理部、２５は表示部、２６はキー入力部、２７は腕時計型端末１と、アンテナ２ａを介して通信するための近距離無線通信部、２８は現在時刻を計時する時計回路である。
【００２９】
携帯電話２は、電話着信やメール着信、ニュース着信、アラーム設定時刻と現在時刻の一致、タイマータイムアウト等のイベントが発生したとき、近距離無線通信部２７を介して、イベント発生情報を腕時計型端末１に通知する。
【００３０】
次に、腕時計型端末１と携帯電話２が近距離無線通信により接続する動作シーケンスを図３により説明する。
図３は、腕時計型端末１と携帯電話２が近距離無線通信接続を行なうときの、携帯電話２、携帯電話２のユーザー、腕時計型端末１、腕時計型端末１のユーザー間のやり取りを説明する図である。なお、通常は、携帯電話２と腕時計型端末１は、１人のユーザーがセットで使用するためのものであるため、携帯電話２のユーザーと腕時計型端末１のユーザーは同一人物である。
【００３１】
携帯電話ユーザーと携帯電話２間のやり取りは表示部２５、キー入力部２６等により行なわれ、携帯電話２と腕時計型端末１間のやり取りは近距離無線通信により行なわれ、腕
時計型端末１と腕時計型端末ユーザー間のやり取りは操作部１３〜１５、表示部１２等により行なわれる。
【００３２】
まず、腕時計型端末ユーザーが腕時計型端末１に接続待ち状態になるように要求する（Ｓ３００）。接続待ち状態にすることにより、携帯電話２からのデバイス検索に対して応答できるようになる。
【００３３】
次に、携帯電話ユーザーから携帯電話２にデバイス検索の要求を行ない（Ｓ３０１）、その要求を受けた携帯電話２は周囲にあるデバイスの検索を行ない（Ｓ３０２）、腕時計型端末１はそれに応答し（Ｓ３０３）、携帯電話２は腕時計型端末１の識別情報を含むデバイス検索結果を携帯電話ユーザーに通知する（Ｓ３０４）。続いて、携帯電話ユーザーがデバイス検索結果から腕時計型端末１を指定し、携帯電話２に送信することにより接続要求を行ない（Ｓ３０５）、携帯電話２から腕時計型端末１へ接続認証要求が行われ（Ｓ３０６）、携帯電話２、腕時計型端末１間で接続認証処理が行われる（Ｓ３０７）。
【００３４】
Ｓ３０６の接続認証要求では、携帯電話２の識別情報が送信される。腕時計型端末１はこの識別情報により接続相手を識別することができる。接続認証処理では、各機器から同一のパスコードが入力され、それに基づいて認証情報が生成され、各機器に接続相手の識別情報と認証情報とが対で登録される。例えばBluetooth（登録商標）では、認証情報を生成するためのパスコードとして、ＰＩＮ(Personal Identification Number)コードが用いられる。なお、Bluetooth（登録商標）では、認証情報は、リンクキーと呼ばれている。
【００３５】
以降の相互の接続時にはこの認証情報を用いて接続認証が行われる。なお、パスコードは腕時計型端末１の操作部１３〜１５や携帯電話２のキー入力部２６等を用いて入力してもよいし、入力を行わずに、それぞれの機器に記憶されている予め決めておいた固定のパスコードを用いてもよい。接続認証処理が成功すると、携帯電話２から携帯電話ユーザーに接続を完了したことが通知されるとともに、腕時計型端末１から腕時計型端末ユーザーに接続を完了したことが通知される（Ｓ３０８）。
【００３６】
なお、上記の接続動作シーケンスは、近距離無線通信機器どうしが初めて接続される場合のシーケンスであり、これ以外に、一度接続が行われたときに登録した相手の機器の識別情報を利用して接続するシーケンスもあるが、前述のシーケンスが簡略化されたものにすぎないため、その説明は省略する。一度接続が行われた近距離無線通信機器どうしは、この簡略化された接続シーケンスを利用して接続することができる。
【００３７】
次に、腕時計型端末１と携帯電話２が近距離無線通信により接続された後に、携帯電話２にて発生したイベント発生情報が腕時計型端末１に送信される動作を図４により説明する。
まず、携帯電話２において、基地局３からの、電話着信（Ｓ５００）、またはメール着信（Ｓ５０１）、またはニュース着信（Ｓ５０２）等の着信に起因する携帯電話２の外部からのイベントが発生すると、携帯電話２から腕時計型端末１にそれぞれ電話着信通知（Ｓ５０３）、メール着信通知（Ｓ５０４）、ニュース着信通知（Ｓ５０５）等のイベント発生情報の送信が行なわれ、腕時計型端末１ではそれぞれのイベント発生情報を受信する処理を行なう（Ｓ５０８〜Ｓ５１０）。
【００３８】
また、携帯電話２において、アラームが発生したり、携帯電話２内部のタイマーがタイムアウトしたときなど、携帯電話２の内部のイベントが発生したときは、携帯電話２から腕時計型端末１にそれぞれアラーム通知（Ｓ５０６）、タイマー通知（Ｓ５０７）等のイベント発生情報の送信が行われ、腕時計型端末１ではそれぞれのイベント発生情報を受信
する処理を行なう（Ｓ５１１、Ｓ５１２）。
【００３９】
次に腕時計型端末１の内部の動作を図５を用いて説明する。この動作は主に腕時計型端末１の制御部１０にて、その制御を司るプログラムを実行することにより行われる。
まず、電源ＯＮやシステムリセットの操作により、腕時計型端末１のリセットが行われ、各部の初期化が行われ（Ｓ６００）、図３に示した接続処理が行われる（Ｓ６０１）。この接続処理が終了した段階で腕時計型端末１と携帯電話２が近距離無線通信にて接続されている。
【００４０】
次に、携帯電話２よりイベント発生情報を受信したか否か判断する（Ｓ６０２）。イベント発生情報を受信したと判断したら（Ｓ６０２：Ｙｅｓ）、後述する履歴保存処理が行われ（Ｓ６０３）、イベント発生情報を受信していないと判断したら（Ｓ６０２：Ｎｏ）、例えば操作部１３〜１５を操作することにより、受信したイベント発生情報の履歴を表示する操作が行われたか否か判断する（Ｓ６０４）。
【００４１】
イベント発生情報履歴を表示する操作が行われたと判断したら（Ｓ６０４：Ｙｅｓ）、後述する履歴表示処理が行われ（Ｓ６０５）、行われていないと判断したら（Ｓ６０４：Ｎｏ）、現在イベント発生情報履歴表示中であり且つイベント発生情報履歴表示を更新する操作が行われたか否か判断する（Ｓ６０６）。現在イベント発生情報履歴表示中であり且つ受信履歴表示更新操作が行われたと判断したら（Ｓ６０６：Ｙｅｓ）、後述する履歴表示更新処理が行われ（Ｓ６０７）、現在イベント発生情報履歴表示中ではない、または履歴表示更新操作が行われていないと判断したら（Ｓ６０６：Ｎｏ）、携帯電話２との接続を切断する操作が行われたか否か判断する（Ｓ６０８）。切断操作が行われたと判断したら（Ｓ６０８：Ｙｅｓ）、接続中か否か判断し（Ｓ６０９）、接続中であると判断したら（Ｓ６０９：Ｙｅｓ）、切断処理を行ない（Ｓ６１０）、Ｓ６０１へ戻る。Ｓ６０９で接続中ではないと判断したら（Ｓ６０９：Ｎｏ）、Ｓ６０１へ戻る。Ｓ６０８で切断操作が行われていないと判断したらＳ６０２へ戻る。
【００４２】
次にＳ６０３の履歴保存処理を図６を用いて説明する。
まず、腕時計型端末１は、受信したイベントの種別を取得する（Ｓ８００）。イベントの種別は、例えば、電話着信、メール着信、ボイスメール着信、ＳＭＳ（Short Message Service）着信、不在着信通知、緊急通報着信、ニュース着信、アラーム、タイマータイムアウトなどがあり、携帯電話２から送られてくるイベント発生情報に、各イベント種別に固有の識別番号が付与されていて、腕時計型端末１ではその識別番号を認識することによりイベント種別が分かる。
【００４３】
次に、該当するイベント種別の履歴表に、接続している携帯電話の識別情報とイベント発生情報を受信した日時を登録して（Ｓ８０１）、履歴保存処理を終了する（Ｓ８０２）。この履歴表は記憶部１９に記憶される。この識別情報によって、それぞれの履歴が、ぞれぞれの携帯電話に対応付けられている。
【００４４】
イベント発生情報を受信した日時は、例えば腕時計型端末１内部の時計回路１６を用いてイベント発生情報を受信した時間を取得する。この履歴保存処理により、腕時計型端末１内にイベントの種別毎にイベント発生情報の受信履歴表が作成される。その例を図７を用いて説明する。
【００４５】
図７（ａ）は、イベントの種別がメール着信の履歴で、それぞれの表の行にイベント発生情報の発信元である携帯電話の識別情報とその受信日時が登録されている。
また、図７（ｂ）は、イベントの種別がニュース着信の履歴で、それぞれの表の行にイベント発生情報の発信元である携帯電話の識別情報とその受信日時が登録されている。
例えば、携帯電話２と腕時計型端末１間をBluetooth（登録商標）で接続している場合は、携帯電話識別番号としてＢＤアドレスを用いる。
【００４６】
次にＳ６０５の履歴表示処理を図８を用いて説明する。この処理では、受信したイベント発生情報の履歴をイベントの種別毎に表示する。
まず、腕時計型端末のユーザーにより表示するイベント種別が選択される（Ｓ１０００）。例えば、表示部１２に電話着信通知、メール着信通知、ニュース着信通知、アラーム発生通知、タイマータイムアウト通知等のイベント種別を選択するメニューが表示され、ユーザーが操作部１３〜１５を用いて選択する。
【００４７】
次に、腕時計型端末１は携帯電話２と接続中か否か判断し（Ｓ１００１）、接続中であると判断したら（Ｓ１００１：Ｙｅｓ）、表示する履歴のイベント種別が、イベントが発生した携帯電話２に依存しているもの（以下携帯電話依存イベントと呼ぶ）か否か判断する（Ｓ１００２）。接続中の場合は、表示する履歴のイベント種別に応じて、異なる表示態様で表示する。すなわち、表示する履歴が、携帯電話依存イベントの履歴であると判断したら（Ｓ１００２：Ｙｅｓ）、現在接続されている携帯電話を特定するとともに、現在接続している携帯電話に応じた表示態様で、その携帯電話の履歴を優先して表示して（Ｓ１００３）、履歴表示処理を終了する（Ｓ１００７）。現在接続されている携帯電話の特定は、具体的には、図５のＳ６０１にて携帯電話と接続する際に取得した識別情報により、現在接続されている携帯電話を特定するのである。
【００４８】
これに対して、表示する履歴が、携帯電話非依存イベントであると判断したら（Ｓ１００２：Ｎｏ）、全ての履歴を時系列で表示して（Ｓ１００５）、履歴表示処理を終了する（Ｓ１００７）。Ｓ１００１において、現在携帯電話２と接続中でないと判断したら（Ｓ１００１：Ｎｏ）、前回の切断理由がリンクロスか否か判断する（Ｓ１００４）。
ここでリンクロスによる切断とは、接続している携帯電話との距離が離れて通信ができなくなることにより、ユーザーが気づかないうちに近距離無線通信の接続が切断されることであり、リンクロスでない切断とは、ユーザーが腕時計型端末または携帯電話を操作することにより意図的に近距離無線通信の接続を切断することである。
【００４９】
リンクロスであると判断したら（Ｓ１００４：Ｙｅｓ）、切断前の表示を維持し（Ｓ１００６）、前回の切断理由がリンクロスでないと判断したら（Ｓ１００４：Ｎｏ）、表示する履歴のイベント種別にかかわらず、全ての履歴を時系列で表示して（Ｓ１００５）、履歴表示処理を終了する（Ｓ１００７）。これらの履歴表示処理はＳ６０３にて記憶部１９に保存されたイベント発生情報の履歴表を用いて表示される。即ちＳ６０３では、イベント発生情報が受信される毎に、そのイベント種別に該当する履歴表に携帯電話の識別情報とイベント発生情報を受信した日時を登録していくので、その結果、履歴表は接続している携帯電話とは無関係に時系列で並ぶことになる。この履歴表を用いて所定の携帯電話の履歴を優先して表示するときは、履歴表からその携帯電話の識別情報が登録されている履歴を抽出して優先して表示する。
【００５０】
ここでＳ１００２の携帯電話依存イベントについて説明する。
腕時計型端末は、イベント発生情報の履歴を表示する際、イベントの種別に基づいて、所定情報としての携帯電話依存イベントと、携帯電話非依存イベントの２種類に分類し、その分類に応じた表示を行なう。
【００５１】
携帯電話依存イベントは、携帯電話の基地局が、特定の携帯電話を対象として送信する、電話着信、メール着信、ボイスメール着信、ＳＭＳ着信、不在着信通知等により携帯電話に発生したイベント、及び、携帯電話の内部で発生した、アラームやタイマー等により携帯電話に発生したイベントである。
このようなイベントは、それぞれのイベントの内容が、イベントが発生したそれぞれの携帯電話に密接に関係している。
【００５２】
例えば、仕事用と私用の携帯電話を使い分けて使っている場合、仕事関係のつきあいがある人には仕事用の携帯電話の連絡先を教え、仕事以外でのつきあいがある人には私用の携帯電話の連絡先を教えることが多い。
また、仕事用の携帯電話には仕事用のスケジュールアラームを登録し、私用の携帯電話には仕事以外のスケジュールアラームのみを登録することが多い。
従って、仕事用の携帯電話には仕事に関連したイベントが発生し、私用の携帯電話には仕事以外のイベントが発生する場合が多い。
このような場合、全てのイベントを単純に時系列的に表示するよりも、接続している携帯電話から受信したイベント発生情報の履歴を、携帯電話に依存する依存情報として、優先して表示する方が使い勝手が良い。
【００５３】
一方、携帯電話非依存イベントは、携帯電話の基地局が、不特定多数の携帯電話を対象として送信する、ニュース着信、緊急通報着信等により携帯電話に発生したイベントである。
このようなイベントは、それぞれのイベントの内容が、イベントが発生した携帯電話に密接には関係しない。
例えば通知されるニュースや緊急通報は、仕事用の携帯電話と私用の携帯電話とに送信された場合に、両方の携帯電話に表示される内容は同じである。
このような場合、携帯電話毎にイベント発生情報の履歴を表示するよりも、携帯電話に依存しない非依存情報として、携帯電話に関係なく表示する方がユーザーにとって都合が良い。例えば、全てのイベント発生情報を時系列的に表示することができる。
【００５４】
これらは、携帯電話から送信される２つの情報である第１情報（携帯電話依存イベントのイベント発生情報）と第２情報（携帯電話非依存イベントのイベント発生情報）に基づいて作成された情報（帯電話依存イベントのイベント発生情報の履歴情報、携帯電話非依存イベントのイベント発生情報の履歴情報）のうちの一方の情報に対して前述の優先表示をさせる例であるが、携帯電話から送信される第１情報と第２情報に含まれる情報をそのまま腕時計型端末１で表示する場合にも同様に適用できる。
【００５５】
例えば、第１情報がメールのタイトルを含む着信情報であり、第２情報がニュースのタイトルを含む着信情報である場合、腕時計型端末１がこれらの着信情報を受信した際に、メールのタイトルやニュースのタイトルを記憶手段１９に記憶し、これらを表示部１２に一覧表示するときに、メールのタイトルの一覧表示に対して前述の優先表示を適用する場合である。
【００５６】
次に、Ｓ１００３の「現在接続している携帯電話の履歴を優先して表示する」処理について説明する。
この処理は、現在接続している携帯電話の履歴を表示画面の最上段に表示するものである。接続している携帯電話の履歴が複数ある場合は更にその中で時系列に新しいものから表示する。
【００５７】
図９、図１０を用いて履歴表示処理例を示す。
まず、表示する履歴のイベント種別が携帯電話依存イベントである場合について、図９を用いて説明する。図９は、一つの腕時計型端末１に使用目的に応じて３つの携帯電話の内の１つと接続して使用し、腕時計型端末１でメールの着信履歴を表示している場合である。
【００５８】
腕時計型端末１が、前の接続の切断理由がリンクロス以外で、図９（ａ）のように、３つの携帯電話いずれにも接続されていないとき、すなわち、図８のＳ１００５の状態では、腕時計型端末１の表示画面に、全てのメールの着信履歴、すなわち、Ａ、Ｂ、Ｃ各携帯電話からのメールの着信履歴が時系列に表示される。
【００５９】
図９（ｂ）のように、腕時計型端末１が、携帯電話Ａと接続されているとき、すなわち、図８のＳ１００３の状態では、腕時計型端末１の表示部１２に、携帯電話Ａのメール着信履歴群が最上位に表示される。つまり、表示部１２の中のメール着信履歴群を表示するために設けられた領域（図９（ｂ）の例では１１０）の最初の表示位置である最上部から表示される。そして、腕時計型端末１が、携帯電話Ｂと接続された場合や、携帯電話Ｃと接続された場合は、携帯電話Ｂのメール着信履歴や、携帯電話Ｃのメール着信履歴が表示部１２の最上位に表示される。
【００６０】
このように、腕時計型端末１と接続される携帯電話に応じて、最上位に表示される着信履歴が入れ替わって異なる表示態様で、メール着信履歴が表示される。また、前述のように、腕時計型端末１が、携帯電話Ａ、Ｂ、Ｃのいずれにも接続されていないときには、各携帯電話Ａ、Ｂ、Ｃのメール着信履歴が時系列に表示されるので、いずれかの携帯電話と接続されている場合に対して表示態様が異なっている。このような表示態様は、制御部１０が表示部１２を制御することによって行われる。
【００６１】
尚、腕時計型端末１と接続されている携帯電話のメール着信履歴と、それ以外の携帯電話のメール着信履歴との間に境界線を表示したり、腕時計型端末１と接続されている携帯電話のメール着信履歴を線で囲んで表示することにより、腕時計型端末１と接続されている携帯電話のメール着信履歴と、それ以外の着信履歴とが区別できるように表示しても良い。
【００６２】
次に、表示する履歴のイベント種別が携帯電話非依存イベントに関係する場合について、図１０を用いて説明する。図１０は、一つの腕時計型端末１に使用目的に応じて３つの携帯電話の内の１つと接続して使用し、腕時計型端末１でニュースの着信履歴を表示している場合である。
【００６３】
腕時計型端末１が、前の接続の切断理由がリンクロス以外で、図１０（ａ）のように、３つの携帯電話いずれにも接続されていないとき、すなわち、図８のＳ１００５の状態では、腕時計型端末１の表示画面に、全てのニュースの着信履歴、すなわち、Ａ、Ｂ、Ｃ各携帯電話からのニュースの着信履歴が時系列に表示される。
【００６４】
図１０（ｂ）のように、腕時計型端末１が、携帯電話Ａと接続されているとき、すなわち、図８のＳ１００５の状態では、腕時計型端末１の表示画面に、全てのニュースの着信履歴、すなわち、Ａ、Ｂ、Ｃ各携帯電話からのニュースの着信履歴が時系列に表示される。
【００６５】
次に、履歴表示更新処理（Ｓ６０７）を図１１を用いて説明する。
履歴表示更新処理は、携帯電話依存イベントに関係する着信履歴を表示している時に、操作部１３〜１５の操作により優先表示する携帯電話の履歴を別の携帯電話の履歴に変更する処理である。
【００６６】
まず、現在表示している履歴のイベント種別が携帯電話依存イベントか否か判断し（Ｓ１３００）、携帯電話依存イベントであると判断したら（Ｓ１３００：Ｙｅｓ）、別の携帯電話の履歴があるか否か判断し（Ｓ１３０１）、別の携帯電話の履歴があると判断したら（Ｓ１３０１：Ｙｅｓ）、別の携帯電話の履歴を優先して表示し（Ｓ１３０２）、履歴
表示更新処理を終了する（Ｓ１３０４）。Ｓ１３００で、表示するイベント種別が携帯電話非依存イベントであると判断したとき（Ｓ１３００：Ｎｏ）は履歴表示更新処理を終了する（Ｓ１３０４）。Ｓ１３０１で、別の携帯電話の履歴がないと判断したとき（Ｓ１３０１：Ｎｏ）、接続している携帯電話の履歴を優先して表示して（Ｓ１３０３）、履歴表示更新処理を終了する（Ｓ１３０４）。この履歴表示更新処理の動作例は次の履歴表示の遷移にて詳述する。
【００６７】
腕時計型端末１に対して、携帯電話との接続、切断、リンクロス、履歴表示更新操作の各事象が発生したときの履歴表示の遷移を、図１２〜図１４を用いて説明する。
図１２は、携帯電話依存イベントのイベント種別としてメール受信の履歴を表示する際の例である。１つの腕時計型端末１にＡ、Ｂ、Ｃ３つの携帯電話が接続したことがあり、既にそれぞれの携帯電話で発生したイベント発生情報の履歴を腕時計型端末１が保持しているものとする。
【００６８】
まず、腕時計型端末１が、Ａ〜Ｃのどの携帯電話とも接続していないとき、腕時計型端末１は、操作部１３〜１５の操作によってメールの着信履歴を表示させる操作をすると全てのメール着信履歴を時系列表示する（Ｓ１４００）。Ｓ１４００の詳細な例を図１３（ａ）に示す。携帯電話Ａ、Ｂ、Ｃ全てのイベント発生情報の履歴が時系列に表示されているのが分かる。
【００６９】
Ｓ１４００の状態で、腕時計型端末１が携帯電話Ａと接続したとき、携帯電話Ａのメールの履歴群が最上段に表示され（Ｓ１４０１）、その他、携帯電話Ｂ、Ｃのメール履歴群がその下に表示される。各々の履歴群内では個々の履歴が時系列表示される。Ｓ１４０１の詳細な例を図１３（ｂ）に示す。携帯電話Ａのメール着信履歴（１）、（２）、（３）が最上段に時系列に表示され、他の携帯電話Ｂ、Ｃのメール着信履歴群がその下に表示されているのが分かる。
【００７０】
次にＳ１４０１から腕時計型端末１の操作部１４を操作したとき、別の携帯電話Ｂの履歴群が最上段に表示され、他の携帯電話Ａ、Ｃの履歴群がその下に表示される（Ｓ１４０２）。Ｓ１４０２の詳細な例を図１３（ｃ）に示す。携帯電話Ｂのメール着信履歴（１）、（２）が最上段に時系列に表示され、他の携帯電話Ａ、Ｃのメール着信履歴群がその下に表示されているのが分かる。
【００７１】
次にＳ１４０２から腕時計型端末１の操作部１４を操作したとき、別の携帯電話Ｃの履歴群が最上段に表示され、他の携帯電話Ａ、Ｂの履歴群がその下に表示される（Ｓ１４０３）。Ｓ１４０３の詳細な例を図１３（ｄ）に示す。携帯電話Ｃのメール着信履歴（１）、（２）が最上段に時系列に表示され、他の携帯電話Ａ、Ｂのメール着信履歴群がその下に表示されているのが分かる。
【００７２】
次にＳ１４０３から腕時計型端末１の操作部１４を操作したとき、携帯電話Ａの履歴群が最上段に表示され、他の携帯電話Ｂ、Ｃの履歴群がその下に表示される（Ｓ１４０１）。
要するに操作手段１４を押す毎に最上段に表示される携帯電話の履歴情報がＡ、Ｂ、Ｃ、Ａ…という具合にサイクリックに切り替わる。また、操作手段１５を押すとその逆順、すなわちＡ、Ｃ、Ｂ、Ａ…という具合に切り替わる。
【００７３】
Ｓ１４０１、Ｓ１４０２、Ｓ１４０３いずれかの状態で操作部１３を押すと、全ての履歴が時系列に表示される（Ｓ１４０５）。この構成により、携帯電話毎に整理された状態でなく、全てのメール着信履歴を時系列で確認したいときに使い勝手がよい。
【００７４】
また、Ｓ１４０１、Ｓ１４０２、Ｓ１４０３いずれかの状態で、腕時計型端末１または携帯電話で切断操作をしたとき、近距離無線通信接続が切断され、全て時系列で表示される（Ｓ１４００）。このように構成することにより、ユーザーの意思で切断したときは携帯電話と無関係に全ての履歴を時系列で見ることが多いので、使い勝手が良くなる。
【００７５】
また、Ｓ１４０１、Ｓ１４０２、Ｓ１４０３いずれかの状態で、近距離無線通信接続がリンクロスしたときは、リンクロス前の状態を維持する（Ｓ１４０４）。このように構成することにより、リンクロスはユーザーの意思とは関係なく近距離無線通信接続が切断された場合なので、リンクロス前の表示状態を維持することはユーザーにとって都合がよい。
【００７６】
図１４は、携帯電話非依存イベントのイベント種別としてニュース着信の履歴を表示する際の例である。１つの腕時計型端末１にＡ、Ｂ、Ｃ３つの携帯電話が接続したことがあり、既にそれぞれの携帯電話で発生したイベント発生情報の履歴を保持しているものとする。
【００７７】
図１４（ａ）において、まず、腕時計型端末１が、Ａ〜Ｃのどの携帯電話とも接続していないとき、腕時計型端末１は、操作部１３〜１５の操作によってニュースの着信履歴を表示させる操作をすると全てのニュース着信履歴を時系列表示する（Ｓ１６００）。Ｓ１６００の詳細な例を図１４（ｂ）に示す。携帯電話Ａ、Ｂ、Ｃ全てのニュース着信履歴が時系列に表示されているのが分かる。
【００７８】
Ｓ１６００の状態で、腕時計型端末１が携帯電話Ａと接続したとき、履歴表示状態は変わらず、全てのニュース着信履歴を時系列表示する（Ｓ１６０１）。
Ｓ１６０１の状態で、ユーザー操作により腕時計型端末１の近距離無線通信接続を切断したとき、履歴表示状態は変わらず、全てのニュース着信履歴を時系列表示する（Ｓ１６００）。
Ｓ１６０１の状態で、リンクロスにより腕時計型端末１の近距離無線通信接続が切断されたとき、履歴表示状態は変わらず、全てのニュース着信履歴を時系列表示する（Ｓ１６０２）。
要するに全ての状態において、全てのイベント発生情報の履歴を時系列表示する。
【００７９】
［第２の実施の形態］
次に、本発明の第２の実施の形態を説明する。
第２の実施の形態による腕時計型端末１は、第１の実施の形態と同様、図１（ａ）で構成され、図３〜図１２の動作を行なう。
第１の実施の形態と異なる点は、図８のＳ１００３及び図１１のＳ１３０２の、携帯電話依存イベントのイベント発生情報履歴を優先して表示する表示態様であるので、ここではその表示態様のみを説明する。
【００８０】
第１の実施の形態における携帯電話依存イベントのイベント発生情報履歴優先表示は、優先表示すべき携帯電話のイベント発生情報の履歴を纏めて最上段に表示したが、第２の実施の形態における携帯電話依存イベントのイベント発生情報履歴優先表示は、優先表示すべき携帯電話のイベント発生情報の受信履歴を強調表示する。
【００８１】
図１５に第２の実施の形態の動作例を示す。
図１５（ａ）、（ｂ）、（ｃ）は、それぞれ携帯電話Ａ、Ｂ、Ｃのイベント発生情報の履歴を強調表示する例であり、それぞれの携帯電話Ａ、Ｂ、Ｃのイベント発生情報の受信履歴が全て時系列に表示されていて、優先表示すべき携帯電話のイベント発生情報の受信履歴が他のイベント発生情報の受信履歴よりも太字で表示されていることが分かる。
強調表示する別の例を図１６に示す。
【００８２】
図１６（ａ）、（ｂ）、（ｃ）は、それぞれ携帯電話Ａ、Ｂ、Ｃのイベント発生情報の履歴を強調表示する例であり、それぞれの携帯電話Ａ、Ｂ、Ｃのイベント発生情報の受信履歴が全て時系列に表示されていて、優先表示すべき携帯電話のイベント発生情報の受信履歴の先頭に小さい画像（図１６の例ではメールマーク）が表示されていることが分かる。
強調表示する別の例を図１７に示す。
【００８３】
図１７（ａ）、（ｂ）、（ｃ）は、それぞれ携帯電話Ａ、Ｂ、Ｃのイベント発生情報を強調表示する例であり、それぞれの携帯電話Ａ、Ｂ、Ｃのイベント発生情報の受信履歴が全て時系列に表示されていて、優先表示すべき携帯電話のイベント発生情報の受信履歴を他のイベント発生情報の受信履歴とは別の色に表示されていることを示している。四角で囲んだイベント発生情報履歴が着色表示されていることを示している。
【００８４】
このように、第２の実施の形態では、優先表示すべきイベント発生情報の受信履歴を強調表示することにより、他のイベント発生情報の受信履歴と表示形式が異なるようにして、腕時計型端末１に接続される携帯電話に応じてイベント発生情報の表示態様を異ならせるようにしたので、優先表示すべきイベント発生情報の受信履歴を認識しやすい。また、前述のように、腕時計計型端末１に携帯電話が接続されていない場合はイベント発生情報が強調表示されないため、第２の実施の形態の場合も、腕時計型端末１に携帯電話が接続されている場合とされていない場合とでもイベント発生情報の表示態様が異なっている。
【００８５】
また、図１５〜図１７に示した強調表示以外の強調表示の例として、優先表示すべき携帯電話のイベント発生情報の受信履歴の文字の大きさを、他のイベント発生情報の受信履歴の文字の大きさよりも大きくして表示しても良い。
【００８６】
［第３の実施の形態］
次に、本発明の第３の実施の形態を説明する。
第３の実施の形態による腕時計型端末１は、第１の実施の形態と同様、図１（ａ）で構成され、図３〜図１２の動作を行なう。
第１の実施の形態と異なる点は、図８のＳ１００３及び図１１のＳ１３０２の、携帯電話依存イベントのイベント発生情報履歴を優先して表示する表示態様であるので、ここではその表示態様のみを説明する。
【００８７】
第３の実施の形態における携帯電話依存イベントのイベント発生情報履歴優先表示は、各携帯電話毎のイベント発生情報履歴をフォルダを用いて表示し、優先表示すべき携帯電話のイベント発生情報履歴のフォルダを最上段に表示するものである。
【００８８】
図１８に第３の実施の形態の動作例を示す。
図１８（ａ）、（ｂ）、（ｃ）は、それぞれ携帯電話Ａ、Ｂ、Ｃのイベント発生情報の履歴を優先表示する例であり、それぞれの携帯電話のフォルダが最上位に表示されていることが分かる。つまり、表示部１２の中のイベント発生情報の履歴を表示するために設けられた領域（図１８（ａ）の例では２１０）の最初の表示位置である最上部から表示される。これらのフォルダを操作部１３〜１５により任意に選択、決定することにより、図１８（ｄ）のように選択されたフォルダの中身、すなわち、具体的なイベント発生情報の受信履歴の内容を展開表示することができる。
【００８９】
フォルダは、腕時計型端末１が、イベント発生情報を受信したことが無い携帯電話から初めてイベント発生情報を受信したときに、イベント発生情報に基づいて作成される。
また、これらのフォルダに関する情報は記憶部１９に記憶され、イベント発生情報を受信して履歴が作成される度にその情報フォルダ毎にグループ分けされて追加される。
【００９０】
このように、フォルダは、イベント発生情報の送信元の携帯電話と対応付けられるとともに、携帯電話毎にグループ分けされたそれぞれのイベント発生情報の履歴が、どの携帯体電話に属しているのかを表示している。言い換えると、フォルダは、あるグループを表示し、そのグループに属する情報は、表示部１２に表示される情報として、記憶手段１９に記憶されている。
【００９１】
図１８に示した例も、腕時計型端末１と接続される携帯電話に応じて、最上位に表示されるフォルダが入れ替わって異なる表示態様で、メール着信履歴が表示される。また、前述のように、腕時計型端末１が、携帯電話Ａ、Ｂ、Ｃのいずれにも接続されていないときには、各携帯電話Ａ、Ｂ、Ｃのメール着信履歴が時系列に表示されるので、いずれかの携帯電話と接続されている場合に対して表示態様が異なっている。
【００９２】
イベント発生情報履歴をフォルダ表示する別の例を図１９に示す。
図１９（ａ）、（ｂ）、（ｃ）は、それぞれ携帯電話Ａ、Ｂ、Ｃのイベント発生情報の受信履歴をフォルダ表示する例であり、それぞれの携帯電話Ａ、Ｂ、Ｃのイベント発生情報の受信履歴のフォルダが所定の順番で表示されていて、優先表示すべきイベント発生情報の受信履歴のフォルダを構成する線を太く表示している。
図１８と同様に、これらのフォルダを操作部１３〜１５により任意に選択、決定することにより、図１９（ｄ）のように選択されたフォルダの中身を展開表示してすることができる。
【００９３】
また、携帯型受信端末１が、携帯電話Ａ、Ｂ、Ｃのいずれにも接続されていない場合は、全てのフォルダは強調表示されないので、この場合のイベント発生情報の表示態様は、携帯型受信端末１が、携帯電話Ａ、Ｂ、Ｃのいずれかに接続された場合とは異なる。
このように、第３の実施の形態の図１９の例では、優先表示すべきイベント発生情報の受信履歴のフォルダを太線にして強調表示することにより、他のイベント発生情報の受信履歴のフォルダと表示形式が異なるようにして、腕時計型端末１に接続される携帯電話に応じてイベント発生情報の表示態様を異ならせるようにしたので、優先表示すべきイベント発生情報の受信履歴を認識しやすい。
【００９４】
イベント発生情報履歴をフォルダ表示する別の例を図２０に示す。
図２０（ａ）、（ｂ）、（ｃ）は、それぞれ携帯電話Ａ、Ｂ、Ｃのイベント発生情報の受信履歴をフォルダ表示する例であり、それぞれの携帯電話Ａ、Ｂ、Ｃのイベント発生情報の受信履歴のフォルダのうち、優先表示すべきイベント発生情報のフォルダの中身を予め展開表示している。これらのフォルダを操作部１３〜１５により任意に選択、決定することにより、図２０（ｂ）、図２０（ｃ）のように選択されたフォルダの中身を展開表示してすることができる。
【００９５】
また、携帯型受信端末１が、携帯電話Ａ、Ｂ、Ｃのいずれにも接続されていない場合は、全てのフォルダは展開表示され、この場合のイベント発生情報の表示態様は、携帯型受信端末１が、携帯電話Ａ、Ｂ、Ｃのいずれかに接続された場合とは異なる。
このように、第３の実施の形態の図２０の例では、優先表示すべきイベント発生情報の受信履歴のフォルダの中身を予め展開表示することにより、他のイベント発生情報の受信履歴のフォルダと表示形式が異なるようにして、腕時計型端末１に接続される携帯電話に応じてイベント発生情報の表示態様を異ならせるようにしたので、優先表示すべきイベント発生情報の受信履歴を認識しやすい。
【００９６】
［第４の実施の形態］
次に、本発明の第４の実施の形態を説明する。
第４の実施の形態による腕時計型端末１は、第１の実施の形態と同様、図１（ａ）で構成され、図３〜図１２の動作を行なう。
第１の実施の形態と異なる点は、図８のＳ１００３及び図１１のＳ１３０２の、携帯電話依存イベントのイベント発生情報履歴を優先して表示する表示態様であるので、ここではその表示態様のみを説明する。
第４の実施の形態における携帯電話依存イベントのイベント発生情報履歴優先表示は、優先表示すべき携帯電話のイベント発生情報履歴のみ表示するものである。
【００９７】
図２１に第４の実施の形態の具体的な表示態様を示す。
図２１（ａ）、（ｂ）、（ｃ）は、それぞれ携帯電話Ａ、Ｂ、Ｃからのイベント発生情報履歴を優先表示する例であり、それぞれの携帯電話の履歴のみ表示されていることが分かる。すなわち、携帯電話と接続中に携帯電話依存イベントのイベント発生情報履歴を表示する操作があった場合、接続中の携帯電話に対応付けられたイベント発生情報履歴の非表示状態から表示状態へ移行し、図２１（ａ）、（ｂ）、（ｃ）のようにそれぞれの携帯電話の履歴のみ表示されるのである。
【００９８】
従って、腕時計型端末１に接続される携帯電話に応じてイベント発生情報の表示態様が異なる。
また、腕時計型端末１に、携帯電話Ａ、Ｂ、Ｃのいずれも接続されていない場合は、全てのイベント発生情報履歴が時系列で表示され、この場合のイベント発生情報の表示態様は、携帯型受信端末１が、携帯電話Ａ、Ｂ、Ｃのいずれかに接続された場合とは異なる。
【００９９】
なお、第３の実施の形態においては、各携帯電話毎のイベント発生情報履歴をフォルダとして表示する例を示したが、第４の実施の形態のように、接続中の携帯電話のイベント発生情報履歴のフォルダのみを表示してもよい。すなわち、携帯電話と接続中に携帯電話依存イベントのイベント発生情報履歴を表示する操作があった場合、接続中の携帯電話に対応付けられたイベント発生情報履歴のフォルダの非表示状態からフォルダの表示状態へ移行し、それぞれの携帯電話の履歴のフォルダのみ表示されるのである。
【０１００】
また、上述した各実施の形態では、携帯電話２でイベントが発生するとその都度接続している腕時計型端末１にイベント発生情報が送信され、記憶部１９に記憶される構成を示したが、それに限らず、携帯電話２に少なくとも腕時計型端末１にまだ通知していないイベント発生情報履歴を保持していて、携帯電話２へのイベント発生時とは無関係に、腕時計型端末１から携帯電話２のイベント履歴を読みだし、記憶部１９に記憶されている各携帯電話の各イベント履歴の履歴表に、まだ通知されていないイベント履歴を追加して記憶する構成にも適用できる。要するに、携帯電話２にて発生したイベントとその内容を、腕時計型端末１が認識できればどのような構成でもよい。
【０１０１】
また、上述した各実施の態様では、接続中の携帯電話から受信したイベント発生情報の履歴の表示態様と、他の携帯電話から受信したイベント発生情報の履歴の表示態様と、携帯電話と接続されていない状態のイベント発生情報の履歴の表示態様が異なる例を示したが、接続中の携帯電話から受信したイベント発生情報の履歴の表示態様と、他の携帯電話から受信したイベント発生情報の履歴の表示態様を同じにして、携帯電話と接続されていない状態のイベント発生情報の履歴の表示態様とが異なるように構成してもよい。例えば、携帯電話Ａ、Ｂ、Ｃから受信したイベント発生情報の履歴を保持している腕時計型端末１が、携帯電話Ａ、Ｂ、Ｃの内どの携帯電話に接続されている時でも、携帯電話Ａから受信したイベント発生情報の履歴を優先表示し、何れの携帯電話とも接続していない状態では全てのイベント発生情報の履歴を時系列で表示するように構成してもよい。
【０１０２】
また、上述した各実施の形態では、腕時計型端末１にて優先表示する対象が、接続中の携帯電話から受信したイベント発生情報の履歴である例を示したが、腕時計型端末１に記憶されているイベント情報の履歴と、各携帯電話１との対応付けを手動で変更できるようにしてもよい。例えば、携帯電話Ａを仕事用に、携帯電話Ｂを私用に夫々使い分けている使用者が、腕時計型端末１と携帯電話Ａとを接続して使用している時、送信者の手違いで携帯電話Ａに私用のメールが送られてきた場合、使用者は、腕時計型端末１の操作部１３〜１５を用いて携帯電話Ａに対応付けられたイベント発生情報履歴を携帯電話Ｂに対応付けられるように構成すると使い勝手が良い。
【０１０３】
また、対応付けの変更操作のみではなく、イベント発生情報の内容を手動で追加や修正ができるようにしてもよい。たとえば、腕時計型端末１にスケジュール情報の日時、内容等をも入力できるように構成してもよい。
【０１０４】
さらに、各携帯電話に対応付けて、表示部１２に表示する表示態様を異ならせる所定情報を、携帯電話２から取得するのではなく、腕時計型端末１の操作部１３〜１５を用いて入力し、それを記憶部１９に記憶するように構成してもよい。例えば、仕事に関連した内容のメモのタイトルと内容、私用のメモのタイトルと内容、及び、これらに対応付けられる携帯電話を識別するＡやＢといった情報を操作部１３〜１５を用いて入力して記憶部１９に記憶させ、腕時計型端末１が携帯電話Ａに接続されているときは仕事に関連した内容のメモを優先してメモのタイトルを表示部１２に一覧表示させ、腕時計型端末１が携帯電話Ｂに接続されているときは、私用のメモを優先してメモのタイトルを一覧表示する構成としてもよい。
【０１０５】
また、接続動作をBluetooth（登録商標）の例で説明したがそれに限定されない。要するに、腕時計型端末が、接続相手が一意に識別できる識別情報を接続時に取得できれば、どのような接続方法でもよい。
【符号の説明】
【０１０６】
１  腕時計型端末
２  携帯電話
２ａ  アンテナ
３  無線基地局
１０  制御部
１１  近距離無線通信部
１２  表示部
１３、１４、１５  操作部
１６  時計回路
１７  振動部
１８  アンテナ
１９  記憶部
２０  制御部
２１  無線通信部
２２  信号処理部
２３  送話マイクロフォン
２４  受話スピーカ
２５  表示部
２６  キー入力部
２７  近距離無線通信部
２８  時計回路
【図１】
2011205547.tif 000003
【図２】
2011205547.tif 000004
【図３】
2011205547.tif 000005
【図４】
2011205547.tif 000006
【図５】
2011205547.tif 000007
【図６】
2011205547.tif 000008
【図７】
2011205547.tif 000009
【図８】
2011205547.tif 000010
【図９】
2011205547.tif 000011
【図１０】
2011205547.tif 000012
【図１１】
2011205547.tif 000013
【図１２】
2011205547.tif 000014
【図１３】
2011205547.tif 000015
【図１４】
2011205547.tif 000016
【図１５】
2011205547.tif 000017
【図１６】
2011205547.tif 000018
【図１７】
2011205547.tif 000019
【図１８】
2011205547.tif 000020
【図１９】
2011205547.tif 000021
【図２０】
2011205547.tif 000022
【図２１】
2011205547.tif 000023